(57)【要約】    【課題】  気密容器の開口部の封止が容易、かつ、確実であるとともに、封止部材が構造簡単で、小形化できる管球およびこれに用いることのできる封止部材を提供する。    【解決手段】  管球は、開口部を備えた気密容器１と、気密容器１と同種の材料を主体とする絶縁層２ａおよびこの絶縁層２ａに接合した導電層２ｂを備えている多層構造の機能性傾斜材料からなり、導電層２ｂおよび絶縁層２ａが同軸関係に積層し、かつ、絶縁層２ａが外側で導電層２ｂが中心部に位置するように配置されて軸方向に延在しているとともに、導電層２ｂと絶縁層２ａの接合部が両層を構成する物質の拡散によって混在する拡散接合層２ｃを形成していて、絶縁層２ａの部位で気密容器２の開口部２ａを封止している封止部材２と、気密容器２の内部に封装され、かつ、前記封止部材２の導電層２ａを経由して気密容器１の外部から給電される封装部材３とを具備している。【選択図】    図１
2006092946.tif 000002
【特許請求の範囲】
【請求項１】
開口部を備えた気密容器と；
気密容器と同種の材料を主体とする絶縁層およびこの絶縁層に直接または間接的に接合した導電層を備えている多層構造の機能性傾斜材料からなり、導電層および絶縁層が同軸関係に積層し、かつ、絶縁層が外側で導電層が中心部側に位置するように配置されて軸方向に延在しているとともに、各層の接合部が両層を構成する物質の拡散により混在する拡散接合層を形成していて、絶縁層の部位で気密容器の開口部を封止している封止部材と；
気密容器の内部に封装され、かつ、前記封止部材の導電層を経由して気密容器の外部から給電される封装部材と；
を具備していることを特徴とする管球。
【請求項２】
封止部材は、中心部側に位置する導電層と外側に位置する絶縁層との２層構造で形成されていることを特徴とする請求項１記載の管球。
【請求項３】
封止部材は、その導電層の一方の端面が気密容器の内部に露出し、他方の端面が気密容器の外部へ露出していることを特徴とする請求項１または２記載の管球。
【請求項４】
絶縁層およびこの絶縁層に直接または間接的に接合した導電層を備えている多層構造の機能性傾斜材料からなり、導電層および絶縁層が同軸関係に積層し、かつ、絶縁層が外側で導電層が中心部側に位置するように配置されて軸方向に延在しているとともに、各層の接合部が両層を構成する物質の拡散により混在する拡散接合層を形成していることを特徴とする封止部材。
【請求項５】
絶縁層は、酸化ケイ素または酸化アルミニウムを主体としており；
導電層は、絶縁層の材料と同様の材料に３０質量％以上の割合で混合された耐火性導電金属材料を含んでいる；
ことを特徴とする請求項４記載の封止部材。
【請求項６】
放電プラズマ焼結法による焼結によって形成されていることを特徴とする請求項４または５記載の封止部材。
【発明の詳細な説明】
【技術分野】
【０００１】
本発明は、機能性傾斜材料からなる封止部材で封止された管球およびこれに用いることのできる封止部材に関する。
【背景技術】
【０００２】
ハロゲン電球や高圧放電ランプなどの管球類には、一般にモリブデン箔を封着金属箔として用いて封止する箔封止構造が従来から多用されている。しかしながら、封着金属箔における許容電流値の限界などの理由から、封着金属箔に代えて機能性傾斜材料を用いようとする試みがなされている（例えば、特許文献１参照。）。
【０００３】
特許文献１に用いられている機能性傾斜材料は、シリカ粉末のみ、およびシリカ粉末とモリブデン粉末の混合比を変えた複数の混合粉末をバインダーとともに筒状のプレス型内にシリカの含有量が順次減少するように投入し、プレスした後焼結して製作されている。そうして、完成した封止部材は、その一端面が導電性側端面であり、対向する他端面が非導電性側端面になっていて、タングステン製の電流導入棒が導電性側の部分で封止部材に気密に封着され、また非導電性側の部分でランプ容器に溶着されている。したがって、非導電性側端面すなわち絶縁層と導電層との間は、導電体の混合比を変えることによって熱膨張率を順次変化させた複数層の緩衝層を介在しており、これにより隣接する層の間の熱膨張率差を小さくして機能性傾斜材料にクラックが発生しないようにしている。
【０００４】
また、物理的性質の異なる第１、第２の材料を混合する混合ステップと、第１、第２の材料の混合体から第１の材料を排出して、単一の層内で第１、第２の材料の存在割合を異ならせる排出ステップとを工程として含むことで、第１、第２の材料の存在割合が単一の層内で変化するようにした複合材料（傾斜材料）の製造方法も知られている（特許文献２参照。）。特許文献２の製造方法によれば、軸方向の中心部にＭｏリッチな部分と、Ｍｏリッチな部分の外側にＳｉＯ２リッチな部分とを備えて同軸構造になった傾斜材料を得ることができる旨記載されている。また、得られた同軸構造の傾斜材料を用いた封止用キャップを放電灯の発光管の端部に設けた開口に嵌め込むことも記載されている。
【特許文献１】特開２００１−２１０２７９号公報
【特許文献２】特開平１０−２１９３０８号公報
【発明の開示】
【発明が解決しようとする課題】
【０００５】
ところが、従来の機能性傾斜材料は、互いに隣接する層間の熱膨張率差を小さくしてクッラクが発生するのを回避するために、特許文献１に示すように配合比を順次変えた複数層の緩衝層を介在させた多層構造にしたり、特許文献２に示すように単一層であってもその内部の配合比が連続的に変化させた構造を採用したりする必要があった。このため、封止部材が大きくなったり、製造工程が複雑で製造コストが上昇したりするという問題があった。
【０００６】
また、特許文献２に示すように、多層構造を同軸関係に形成した場合、封止部材の軸方向の全長にわたる部分で封止することができるので、管球の封止が容易になる利点がある。しかしながら、管軸と直交する方向に同軸関係の傾斜構造を形成するために、封止部材の外径が大きくなってしまうという問題がある。このため、従来のこの種封止部材は、小形の管球や封止部を小さくしたい管球には適用することが困難である。
【０００７】
本発明は、気密容器の開口部の封止が容易、かつ、確実であるとともに、封止部材が構造簡単で、小形化できる管球およびこれに用いることのできる封止部材を提供することを目的とする。
【課題を解決するための手段】
【０００８】
請求項１に係る発明の管球は、開口部を備えた気密容器と；気密容器と同種の材料を主体とする絶縁層およびこの絶縁層に直接または間接的に接合した導電層を備えている多層構造の機能性傾斜材料からなり、導電層および絶縁層が同軸関係に積層し、かつ、絶縁層が外側で導電層が中心部側に位置するように配置されて軸方向に延在しているとともに、各層の接合部が両層を構成する物質の拡散によって混在する拡散接合層を形成していて、絶縁層の部位で気密容器の開口部を封止している封止部材と；気密容器の内部に封装され、かつ、前記封止部材の導電層を経由して気密容器の外部から給電される封装部材と；を具備していることを特徴としている。
【０００９】
次に、本発明における作用について説明する。すなわち、本発明において、管球用封止部材は、少なくとも絶縁絶縁層と導電層とを有する多層構造の機能性傾斜材料からなる。絶縁絶縁層と導電層との間に中間層が形成される場合、この中間層が２層または３層以上の多層構造であってもよい。中間層は、熱膨張率差を小さくしたり、強度を向上させたりするために用いることが可能であるが、中間層を用いると、封止部材の直径が大きくなるので、中間層はなるべく薄くするか、省略するのが好ましい。絶縁層と導電層が直接または間接的に接合した多層構造の機能性傾斜材料からなる。絶縁層と導電層の熱膨張率は、明らかに相違しているが、各層間の接合部に隣接する２層を構成する物質の拡散によって混在する拡散接合層が形成されているため、各層は、それらの熱膨張率の明らかな相違を克服して強固に接合する。なお、拡散接合層は、各層に比較して顕著に薄くなっているので、したがって封止部材は、基本的に拡散接合層を無視した多層構造と定義できる。
【００１０】
また、封止部材は、絶縁層と導電層とを有する多層構造体が軸方向に同軸関係に形成されていて、かつ、絶縁層が外側で、導電層が中心部側に位置しているので、封止部材のほぼ全長にわたって気密容器に封止することができる。
【００１１】
封止部材が中心部側に位置する導電層と外側に位置する絶縁層との２層構造で形成されている請求項２に係る発明によれば、所要の封止部長さを確保しながら封止部材の軸方向の寸法を短縮できる。また、２層構造も可能であるため、導電層の直径を所要の大きさにしながら封止部材全体の直径を小さくすることができる。封止部材の直径が小さいと、管球の開口部を小さくするのに効果的である。管球の開口部が小さいということは、その配光特性や外観が良好になったり、封止が容易になったりするので、利点が多い。
【００１２】
したがって、以上の本発明によれば、封止部材を小形化できる。そのため、材料費も安価になる。
【００１３】
さらに、封止部材の導電層に対して、管球の外部から給電部材であるリード部材を挿入したり、管球の内部において管球用封装部材を支持し、かつ、電気的に接続するために管球用封装部材、例えば管球が放電ランプであれば電極を、また白熱電球であれば白熱フィラメントの基端部を、それぞれ直接挿入したり、あるいはこれらの管球用封装部材を支持するための中間部材を挿入したりするのが一般的である。本発明によれば、封止部材が絶縁層と導電層の多層構造であるために、２層構造も可能であるから、上述のようにその所与の外径に対して導電層の直径を可及的に大きくすることができるので、上記挿入部材用の挿入孔を形成しやすくなり、その結果封止部材の挿入孔形成に伴うクラック発生の防止を図ることができる。
【００１４】
上記封止部材を用いて気密容器の開口部を封止するには、封止部材を開口部に嵌め込んで両者を気密に固着すればよい。絶縁層が酸化ケイ素を主体とする場合であれば、両者を直接加熱処理して溶着すればよい。また、絶縁層が酸化アルミニウムを主体とする場合には、両者間に封着コンパウンドを挟んで加熱処理を行い、封着コンパウンドを加熱溶融し、固化させればよい。絶縁層の部分が封止部材のほぼ全長にわたって形成されているので、所望の封止長を得ることが可能になり、封止作業が容易で、しかも封止が確実になる。また、気密容器の開口部が封止の際に誤って導電層の部分に接合されるようなことをなくせるので、封止の際にクラックが発生しなくなる。
【００１５】
気密容器の内部に封装した管球用封装部材に対する給電は、導電層の部分を介して管球の外部から給電することができる。例えば、上述したようにリード部材を導電層の外部側の端面から挿入したり、導電層のみを封止部材の一端側へいくらか突出させて、その突出部に給電体を巻き付けたり、キャップ状の給電部材で抱持したりすることができる。
【００１６】
本発明によれば、上述したように封止部材が２層構造の機能性傾斜材料を主体として構成されているから、封止部材の構造が簡単で、製造工程を簡素化できて安価な管球を得ることができる。
【００１７】
本発明および以下の各発明において、管球は、気密容器の内部に封装部材が気密に封装されている電気作動手段である。本発明によれば、各種用途に適応する管球を得ることができる。例えば、照明用管球であれば、ハロゲン電球、高圧放電ランプなどがこれに含まれる。また、非照明用管球であれば、例えば各種電子管などがこれに含まれる。
【００１８】
気密容器は、開口を備えている。気密容器内への封装部材の収納の際に、開口の開口を経由させることができる。また、開口は、封止部材によって封止されることにより、気密容器の内部が気密になる。さらに、気密容器は、照明用管球の場合、金属酸化物または金属窒化物を主体として透光性に構成することができる。金属酸化物としては、例えばシリカ（SiO2）、アルミナ（Al2O3）、イットリウム酸化物（YOX）およびイットリウム−アルミニウム−ガーネット（YAG）などを用いることができる。金属窒化物としては、アルミニウム窒化物（AlN）などを用いることができる。以上の各物質は、いずれも透光性および耐熱性を備えた材料であり、多結晶体すなわちセラミックスまたは単結晶として得ることができる。また、非照明用管球の場合、気密容器は、透光性および非透光性のいずれであってもよい。
【００１９】
封止部材の絶縁層は、気密容器の材料と同種の材料を主体として構成されている。同様に金属酸化物または金属窒化物を主体として構成されているので、気密容器とほぼ同じ熱膨張率である。これに対して、導電層は、少なくとも導電体として機能できる程度の導電性を有していて、熱膨張率が絶縁層のそれとは相対的に相違している。また、導電層は、絶縁層を構成するのと同一物質であることが好ましいところの金属酸化物または金属窒化物と導電性金属との混合体により構成されることを許容する。この場合、導電性金属は、導電層の約３０質量％以上混合していれば、所要の導電性を示すことが実験により確認されている。しかし、要すれば、導電層は、実質的に導電性金属のみから構成されていてもよい。
【００２０】
封装部材は、気密容器内に収納されて封止部材の導電層を介して気密容器外部から給電され、気密容器内で所望の電気的動作を行う部材である。例えば、ハロゲン電球の場合、封装部材は白熱フィラメントである。高圧放電ランプの場合、封装部材は放電電極である。
【００２１】
封止部材は、導電層が軸の中心部に位置し、絶縁層が導電層の周りに同軸関係に配設された多層構造、例えば２層構造である。ただし、絶縁層と導電層とを焼結して形成するときに、それらの層の間に相対的に薄い拡散接合層が形成されている。この拡散接合層は、絶縁層と導電層の接合部位において両層を構成する物質の一部が拡散により移動して相手方の層内に達し、かつ、両層を構成する物質が混在する層を形成している。この拡散接合層は、その肉厚が一般的には０．１〜１０ｍｍ、好ましくは０．５〜５ｍｍ、最適には１〜３ｍｍの範囲内に形成されていることを許容する。しかし、絶縁層および導電層の厚さに対しては相対的に薄い層となっている。そうして、拡散接合層は、その肉厚が目視により確認することができる。
【００２２】
さらに、本発明に用いる封止部材は、原料粉末の粒界を溶融制御して焼結することができる焼結法、例えば迅速焼結法によって形成することができる。また、迅速焼結法の中でも放電プラズマ焼結法が好適である。
【００２３】
請求項２に係る発明の管球は、請求項１記載の管球において、封止部材は、中心部側に位置する導電層と外側に位置する絶縁層との２層構造で形成されていることを特徴としている。
【００２４】
本発明は、多層構造の中でも特に好適な２層構造を規定している。
【００２５】
請求項３に係る発明の管球は、請求項１または２記載の管球において、封止部材は、その導電層の一方の端面が気密容器の内部に露出し、他方の端面が気密容器の外部へ露出していることを特徴としている。
【００２６】
本発明は、請求項１に係る発明における好適な構成を規定している。すなわち、封止部材の導電層の両端面が封止部材の端面に露出しているので、管球の気密容器の内部にあっては導電層の封装部材に対する導通を、また気密容器の外部にあっては導電層の給電部材に対する導通をとる際に、それぞれ多様な態様を任意所望に応じて適宜選択して採用することが可能になる。例えば、封装部材またはその支持のための中間部材の基端を導電層の気密容器内に露出する端面に溶接したり、圧接したり、導電層の端面からその内部に向かって形成した挿入孔に挿入したりすることができる。同様に、気密容器の外部に露出する導電層の端面に給電部材を溶接、圧接および挿入などを選択的に採用することができる。
【００２７】
また、封止部材の導電層の端面は、絶縁層の端面とほぼ面一になっていてもよいし、絶縁層の端面に対して突出していてもよいし、凹陥していてもよい。突出している場合には、例えば導電層の突出部分を給電部材で抱持することもできる。
【００２８】
さらに、導電層の端面に封装部材や給電部材を挿入するための挿入孔を形成する場合、端面が露出しているので、挿入孔の深さを所望に、しかも正確に設定しやすくなる。
【００２９】
そうして、本発明においては、導電層の端面が気密容器の内部および外部において露出していることによって、封装部材や給電部材と導電層の接続に際して、上述したように多様な態様の採用を許容する。
【００３０】
請求項４に係る発明の封止部材は、絶縁層およびこの絶縁層に直接または間接的に接合した導電層を備えている多層構造の機能性傾斜材料からなり、導電層および絶縁層が同軸関係に積層し、かつ、絶縁層が外側で導電層が中心部側に位置するように配置されて軸方向に延在しているとともに、各層の接合部が両層を構成する物質が拡散によって混在する拡散接合層を形成していることを特徴としている。
【００３１】
本発明は、請求項１に係る発明の管球に用いることのできる封止部材の構成を規定している。また、本発明の封止部材は、請求項１ないし３に係る発明において説明した構成であることを許容する。しかし、封止部材は、管球以外の部材の封止に用いることを許容する。
【００３２】
そうして、本発明においては、封止部材が構造簡単で、小形化できるとともに、気密容器の開口部などの封止が容易、かつ、確実になる。
【００３３】
請求項５に係る発明の封止部材は、請求項４記載の封止部材において、絶縁層は、酸化ケイ素または酸化アルミニウムを主体としており；導電層は、絶縁層の材料と同様の材料に３０質量％以上の割合で混合された耐火性導電金属材料を含んでいる；ことを特徴としている。
【００３４】
本発明において、導電層は、絶縁層の材料と同様の材料を用いることを規定しているが、これは全く同一の材料ばかりでなく、同一の材料を主体としていればよいという意味である。
【００３５】
絶縁層が酸化ケイ素を主体とする場合には、石英ガラス製やその他のガラス製の気密容器を封止するのに好適である。また、酸化アルミニウムを主体とする場合には、透光性アルミナセラミックス製の気密容器を封止するのに好適である。
【００３６】
耐火性導電金属材料は、気密容器が石英ガラス製の場合には、例えばモリブデン（Ｍｏ）やタングステン（Ｗ）を単独または適当な割合で混合して用いることができる。また、非酸化性雰囲気中で使用され、かつ、気密容器が透光性アルミナセラミックス製の場合には、ニオブ（Ｎｂ）やタンタル（Ｔａ）を用いることもできる。
【００３７】
そうして、本発明においては、気密容器が石英ガラスなどや透光性アルミナセラミックス製の場合に好適な封止部材を得ることができる。
【００３８】
請求項６に係る発明の封止部材は、請求項４または５記載の封止部材において、放電プラズマ焼結法による焼結によって形成されていることを特徴としている。
【００３９】
本発明は、好適な製造方法により製造された信頼性の高い封止部材の構成を規定している。すなわち、放電プラズマ法によって封止部材を焼結することにより、良好な拡散接合層を形成して絶縁層と導電層とを直接的に強固で、確実に、しかも信頼性高く接合した封止部材を得ることができる。放電プラズマ法は、圧縮状態の粉末の粒子間隙に直流パルス状電圧を印加した際に粒子間隙に発生する火花放電のプラズマによる発熱および通電によるジュール熱によって焼結を行わせる方法である。
【００４０】
放電プラズマ法によれば、圧縮状態の粉末の粒子表面に気化と溶融が生じて、粉末粒子間が緻密に溶着して、絶縁層と導電層が一体に接合した均質な焼結体を得ることができる。また、絶縁層と導電層の焼結が形成される過程で、絶縁層と導電層の接合部位において両層を構成する物質の一部が拡散による移動をして互いに相手方の層内に達し、かつ、両層を構成する物質が立体的に絡み合った状態となった拡散接合層を形成するので、絶縁層と導電層との間に熱膨張率の差があるにもかかわらず、強固で、しかも長期間にわたって信頼性の高い接合が得られる。
【発明の効果】
【００４１】
請求項１の発明によれば、気密容器の開口部の封止が容易、かつ、確実であるとともに、封止部材が構造簡単で、小形化できる管球を提供することができる。
【００４２】
請求項２の発明によれば、絶縁層および導電層の２層構造の封止部材を備えた管球を提供することができる。
【００４３】
請求項３の発明によれば、導電層の端面が気密容器の内部および外部において露出していることによって、封装部材や給電部材と導電層の接続に際して多様な態様の採用を許容する管球を提供することができる。
【００４４】
請求項４の発明によれば、構造簡単で、小形化できるとともに、気密容器の開口部の封止が容易、かつ、確実な封止部材を提供することができる。
【００４５】
請求項５の発明によれば、気密容器が石英ガラスなどや透光性アルミナセラミックス製の場合に好適な封止部材封止部材を提供することができる。
【００４６】
請求項６の発明によれば、好適な製造方法により製造されて信頼性の高い封止部材を提供することができる。
【発明を実施するための最良の形態】
【００４７】
以下、図面を参照して本発明を実施するための形態を説明する。
【００４８】
図１ないし図３は、本発明の管球および封止部材を実施するための一形態を示し、図１は管球の正面断面図、図２は封止前の気密容器の正面断面図、図３は封止部材の拡大断面図である。本形態は、本発明を高圧放電ランプに適用した例であり、１は気密容器、２は封止部材、３は封装部材、４は給電部材であり、これらが高圧放電ランプすなわち管球を構成している。
【００４９】
気密容器１は、透光性で、かつ、耐火性の物質、例えば石英ガラスや透光性アルミナセラミックスなどからなり、適宜の形状を備えるとともに、開口部１ａを備えていて、その内部に後述する封装部材３を気密に収納する。本形態において、気密容器１は、外形がほぼ紡錘形状をなした石英ガラス製で、図２に示すように、その管軸方向の両端に一対の開口部１ａ、１ａが形成されている。また、気密容器１は、その内部にほぼ回転楕円体形状をなした放電空間１ｂが形成されている。
【００５０】
封止部材２は、機能性傾斜材料からなる。この機能性傾斜材料は、図２に拡大して示すように、絶縁層２ａおよび導電層２ｂを備えるとともに、各層２ａ、２ｂが拡散接合層２ｃにより接合された基本的には多層構造、好適には２層構造の焼結体からなる。この多層構造焼結体は、後述するように原料粉末の粒界を溶融制御して焼結することができる焼結法として、迅速焼結法に属する放電プラズマ焼結法により形成されている。なお、上記拡散接合層２ａ３は、絶縁層２ａおよび導電層２ａ２を構成する物質が相互に拡散して移動することによって立体的に絡み合って形成されたものである。
【００５１】
また、封止部材２は、気密容器１の開口部１ａに嵌め込まれて封着することにより、気密容器１を気密に封止している。なお、図１において、開口部１ａと封止部材２との間の当初の境界部が点線で示されている。
【００５２】
封止部材２の絶縁層２ａは、金属酸化物または金属窒化物を主体として構成されるが、本形態においては気密容器１が石英ガラスからなるので、シリカ（SiO2）を主体として形成されている。これに対して、導電層２ｂは、導電性金属と金属酸化物の混合を主体として構成されているが、本形態においては導電性金属がモリブデン（Ｍｏ）またはタングステン（Ｗ）からなり、金属酸化物が絶縁層２ａの構成材料と同じ材料であるシリカからなる。導電性金属と金属酸化物の混合比は、導電層２ｂが所要の低い抵抗値を示すような導電率になるように、導電性金属が３０質量％以上の範囲内において所定の割合に選択されている。
【００５３】
さらに、封止部材２は、その絶縁層２ａと導電層２ｂの相互の位置が同軸関係になっている。すなわち、導電層２ｂが中心部側、例えば中心軸の周りに導電層２ｂが円柱状をなして位置し、外側、例えばその周囲に同軸関係に絶縁層２ａが円筒状をなして包囲している。このため、絶縁層２ａは、封止部材２の軸方向の全長にわたって導電層２ｂと同軸関係を形成されている。また、導電層２ｂは、封止部材２の軸方向の両端面に露出している。
【００５４】
封装部材３は、タングステン（W）製の棒状体からなる放電電極であり、その基端が封止部材２における導電層２ｂの一方の端面から内部に挿入され固着して支持されているとともに、導電層２ｂに導通している。
【００５５】
給電部材４は、モリブデン製の棒状体からなるリード部材であり、その先端が封止部材２における導電層２ｂの他方の端面から内部に挿入され固着して支持されているとともに、導電層２ｂに導通している。
【００５６】
したがって、以上の封止部材２、封装部材３および給電部材４は、封止部材２を中心として一体化されることにより、電極マウントを構成している。
【００５７】
そうして、管球は、高圧放電ランプを構成しており、透光性の気密容器１内の放電空間１ｂ内において、一対の封装部材３、３の放電電極が離間対向し、また放電空間１ｂ内には放電媒体が封入されている。
【００５８】
次に、電極マウントを構成する封止部材２を製造するには、まず円柱状をなした導電層２ｂの出発材料である圧縮成形体を用意する。なお、封装部材３および給電部材４は、導電層２ｂの上記圧縮成形工程において、それぞれ所定の位置まで導電層２ｂ内に挿入される。さらに、圧縮成形された導電層２ｂを成形金型内の所定の位置に載置して、その円柱状部分の周囲に絶縁層２ａ１の材料を入れて導電層２ｂと一緒に圧縮成形して、放電プラズマ焼結法を用いて焼結する。
【００５９】
さらに詳述すれば、放電プラズマ焼結法による製造は、絶縁層２ａを構成するための粉体および導電層２ｂを構成するための粉体を上記のように焼結型内に同軸状に配置してから、次に両粉体の両端に一対の電極を配置して、上記粉体を加圧しながら一対の電極間に直流パルス電圧を印加する。なお、雰囲気は、数１０ＭＰａ程度のアルゴン（Ａｒ）または真空にするのがよいが、所望により大気雰囲気とすることもできる。上記加熱・加圧処理を所定時間の間継続することにより、上記粉体が焼結して同軸２層構造の封止部材が得られる。そうして、得られた封止部材２は、その絶縁層２ａと導電層２ｂとの間に拡散接合層２ｃが形成されるとともに、拡散接合層２ｃによって絶縁層２１と導電層２ｂとが強固に接合して強固に一体化されている。また、絶縁層２１と導電層２ｂとが、それぞれ緻密な焼結体となる。
【００６０】
また、封装部材３および給電部材４は、焼結による共締めよって導電層２ｂに強固に固着されるとともに、非常に小さい接触抵抗のもとで導通する。
【００６１】
そうして、封止部材２は、その軸方向のほぼ全長にわたって形成された絶縁層２ａの部位で気密容器１の開口部１ａに封着することにより、気密容器１を気密に封止している。したがって、気密容器１と封止部材２の絶縁層２ａ１とは同一物質からなるため、良好な封止が得られる。本形態によれば、２層構造の封止部材３について説明したが、直径の大きさに制約されないのであれば、必要に応じて中間層を用いてもよいことはいうまでもない。
【実施例】
【００６２】
以下の構成の本発明による封止部材を用いて封止したハロゲン電球を製作した。
【００６３】
絶縁層：SiO2粒子100（質量％）
導電層：SiO2粒子70-Mo粒子30（質量％）
製造方法：プラズマ焼結法
〔比較例〕以下の構成による軸方向に多層構造とした封止部材を用いて封止した高圧放電ランプを製作した。
【００６４】
絶縁層：SiO2粒子100（質量％）
緩衝層：第１層SiO2
95-Mo5、第２層SiO280-Mo20、第３層SiO270-Mo30、
第４層SiO260-Mo40（いずれも材料は粒子、割合は質量％）
導電層：SiO2粒子50-Mo粒子50（質量％）
製造方法：通常加熱焼結法
振動試験条件：消灯状態で20〜60〜20Hz（合計6分間）の振動試験を6回実施した。
【００６５】
振動試験結果：実施例はクラック発生なし。
【００６６】
比較例は層間クラックが発生した。
【００６７】
他の実施例として、上記実施例と同様な封止構造を備えた図１に示す高圧放電ランプを製作して同様な試験を実施したが、これについても上記実施例と同様良好な結果を得た。
【図面の簡単な説明】
【００６８】
【図１】本発明の管球および封止部材を実施するための一形態を示す管球の正面断面図
【図２】同じく封止前の気密容器の正面断面図
【図３】同じく封止部材の拡大断面図
【符号の説明】
【００６９】
１…気密容器、１ａ…開口部、１ｂ…放電空間、２…封止部材、２ａ…絶縁層、２ｃ…拡散接合層、３…封装部材、４…給電部材
【図１】
2006092946.tif 000003
【図２】
2006092946.tif 000004
【図３】
2006092946.tif 000005